【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
コンピュータと、
前記コンピュータに接続され、識別画像が貼付されたカードを撮像する撮像手段と、
前記コンピュータに接続された表示装置とを有する画像表示システムにおいて、
所定のタイミングで撮像した前記カードの画像データと前記所定のタイミングとは別のタイミングで撮像した前記カードの画像データとの差分をとる差分演算手段と、
差分後のデータに基づいて前記カードに動きがあったかどうかを判別するカード動き判別手段と、
前記カード動き判別手段にて判別された結果に従った表示処理を行う表示手段を有することを特徴とする画像表示システム。
【請求項２】
請求項１記載の画像表示システムにおいて、
前記撮像手段からの前記カードの画像を含む撮像画像の画像データを前記表示装置に出力して、該表示装置に前記撮像画像を表示させる撮像画像表示手段と、
前記撮像画像の画像データから前記カードに貼付された前記識別画像の画像データを探知する探知手段と、
前記探知手段が探知した前記識別画像の画像データから前記カードの識別情報を検出する識別情報検出手段と、
前記表示装置に表示された前記撮像画像のうち、前記カードの画像上に、該カードの識別情報に対応するオブジェクトの画像を重畳して表示するように制御するオブジェクト表示制御手段を有することを特徴とする画像表示システム。
【請求項３】
請求項２記載の画像表示システムにおいて、
同一のオブジェクトに複数の識別情報が割り当てられ、
前記複数の識別情報のそれぞれにおいて前記同一のオブジェクトに関するパラメータが異なることを特徴とする画像表示システム。
【請求項４】
請求項２又は３記載の画像表示システムにおいて、
前記コンピュータに接続される着脱自在の記憶媒体を有し、
前記識別情報に対応する情報が前記記憶媒体にて管理されていることを特徴とする画像表示システム。
【請求項５】
請求項２又は３記載の画像表示システムにおいて、
前記コンピュータがネットワークを介してネットワークサーバに接続され、
前記識別情報に対応する情報が前記ネットワークサーバにて管理されていることを特徴とする画像表示システム。
【請求項６】
コンピュータと、
前記コンピュータに接続され、識別画像が貼付されたカードを撮像する撮像手段とを有する画像処理システムにおいて、
所定のタイミングで撮像した前記カードの画像データと前記所定のタイミングとは別のタイミングで撮像した前記カードの画像データとの差分をとる差分演算手段と、
差分後のデータに基づいて前記カードに動きがあったかどうかを判別するカード動き判別手段と、
前記カードに動きがあった場合に、該カードの画像から該カードの識別情報を検出する手段とを有することを特徴とする画像処理システム。
【請求項７】
コンピュータと、
前記コンピュータに接続され、それぞれ識別画像が貼付された複数のカードを撮像する撮像手段とを有する画像処理システムにおいて、
前記撮像手段からの撮像画像の画像データから１枚目のカードに貼付された識別画像の画像データを探知する第１の探知手段と、
前記第１の探知手段が探知した前記識別画像の画像データから前記１枚目のカードの識別情報を検出する第１の識別情報検出手段と、
前記第１の探知手段が探知した前記識別画像の画像データの位置から前記撮像画像全体のカメラ座標系を求める座標系変換手段と、
前記１枚目のカードの画像データのカメラ座標に基づいて他のカードの画像データの配置位置を予測する配置位置予測手段と、
予測した配置位置における画像データから前記他のカードに貼付された識別画像の画像データを探知する第２の探知手段と、
前記第２の探知手段が探知した前記識別画像の画像データから前記他のカードの識別情報を検出する第２の識別情報検出手段とを有することを特徴とする画像処理システム。
【請求項８】
請求項７記載の画像処理システムにおいて、
前記第１の識別情報検出手段は、
前記第１の探知手段が探知した前記１枚目のカードの識別画像の画像データをアフィン変換して前記１枚目のカードの識別情報を検出し、
前記第２の識別情報検出手段は、
前記第２の探知手段が探知した前記他のカードの識別画像の画像データをアフィン変換して前記他のカードの識別情報を検出することを特徴とする画像処理システム。
【請求項９】
請求項７又は８記載の画像処理システムにおいて、
２人のユーザがそれぞれ複数のカードを例えば横方向に並べる場合であって、かつ、前記各ユーザがそれぞれ１枚目のカードを１つの対角線上に置く場合に、
前記配置位置予測手段は、
前記撮像画像のうち、対角線上に並んだ前記２つのカードの画像データの位置を検出し、検出された前記２つのカードの画像データの位置から前記対角線を含む矩形領域を特定し、
前記第２の識別情報検出手段は、
特定された前記矩形領域内の画像データから残りのカードの識別情報を検出することを特徴とする画像処理システム。
【請求項１０】
コンピュータと、
前記コンピュータに接続され、識別画像が貼付されたカードを撮像する撮像手段と、
前記コンピュータに接続された表示装置とを有するビデオゲームシステムにおいて、
前記撮像手段からの前記カードの画像を含む撮像画像の画像データを前記表示装置に出力して、該表示装置に前記撮像画像を表示させる撮像画像表示手段と、
前記撮像画像の画像データから前記カードに貼付された前記識別画像の画像データを探知する探知手段と、
前記探知手段が探知した前記識別画像の画像データから前記カードの識別情報を検出する識別情報検出手段と、
前記表示装置に表示された前記カードの画像上に、該カードの前記識別情報に対応するオブジェクトの画像を重畳して表示するように制御するオブジェクト表示制御手段と、
所定のタイミングで撮像した前記カードの画像データと前記所定のタイミングとは別のタイミングで撮像した前記カードの画像データとの差分をとる差分演算手段と、
差分後のデータに基づいて前記カードに動きがあったかどうかを判別するカード動き判別手段とを有し、
前記オブジェクトがビデオゲームにおけるキャラクタを示すオブジェクトであって、
前記カード動き判別手段にて判別された結果に従って前記ビデオゲームのシナリオを進行させるシナリオ進行手段を有することを特徴とするビデオゲームシステム。
【請求項１１】
請求項１０記載のビデオゲームシステムにおいて、
前記撮像画像に複数のカードの画像データが存在する場合であって、かつ、前記カード動き判別手段にて前記複数のカードの画像のうち、１つのカードの画像が移動していると判別した場合に、
前記シナリオ進行手段は、
前記各カードの画像上に表示されている複数のオブジェクトの画像のうち、移動していると判別したカードの画像上に表示されているオブジェクトの画像を選択してシナリオを進行させることを特徴とするビデオゲームシステム。
【請求項１２】
コンピュータと、
前記コンピュータに接続され、識別画像が貼付されたカードを撮像する撮像手段と、
前記コンピュータに接続された表示装置とを有するビデオゲームシステムにおいて、
前記撮像手段からの前記カードの画像を含む撮像画像の画像データを前記表示装置に出力して、該表示装置に前記撮像画像を表示させる撮像画像表示手段と、
前記撮像画像の画像データから前記カードに貼付された前記識別画像の画像データを探知する探知手段と、
前記探知手段が探知した前記識別画像の画像データから前記カードの識別情報を検出する識別情報検出手段と、
前記表示装置に表示された前記カードの画像上に、該カードの前記識別情報に対応するオブジェクトの画像を重畳して表示するように制御するオブジェクト表示制御手段と、
所定のタイミングで撮像した前記カードの画像データと前記所定のタイミングとは別のタイミングで撮像した前記カードの画像データとの差分をとる差分演算手段と、
差分後のデータに基づいて前記カードに動きがあったかどうかを判別するカード動き判別手段と、
前記カードに動きがあった場合に、該カードの識別情報を前記識別情報検出手段にて再度検出させる再検出手段とを有し、
前記オブジェクトがビデオゲームにおけるキャラクタを示すオブジェクトであって、
前記オブジェクト表示制御手段は、移動した後の前記カードの画像上に、前記再検出手段にて検出された識別情報に対応するオブジェクトの画像を重畳して表示するように制御することを特徴とするビデオゲームシステム。
【請求項１３】
請求項１２記載のビデオゲームシステムにおいて、
前記カード動き判別手段にて、複数のカードの配置位置が所定時間内に入れ替わっていると判別した場合に、
前記オブジェクト表示制御手段は、入れ替わった後の前記複数のカードの画像上に、それぞれ前記再検出手段にて検出された識別情報に対応するオブジェクトの画像を重畳して表示するように制御することを特徴とするビデオゲームシステム。
【請求項１４】
コンピュータと、
前記コンピュータに接続され、識別画像が貼付されたカードを撮像する撮像手段と、
前記コンピュータに接続された表示装置とを有するビデオゲームシステムにおいて、
前記撮像手段からの前記カードの画像を含む撮像画像の画像データを前記表示装置に出力して、該表示装置に前記撮像画像を表示させる撮像画像表示手段と、
前記撮像画像の画像データから前記カードに貼付された前記識別画像の画像データを探知する探知手段と、
前記探知手段が探知した前記識別画像の画像データから前記カードの識別情報を検出する識別情報検出手段と、
前記表示装置に表示された前記カードの画像上に、該カードの前記識別情報に対応するオブジェクトの画像を重畳して表示するように制御するオブジェクト表示制御手段と、
所定のタイミングで撮像した前記カードの画像データと前記所定のタイミングとは別のタイミングで撮像した前記カードの画像データとの差分をとる差分演算手段と、
差分後のデータに基づいて前記カードに動きがあったかどうかを判別するカード動き判別手段とを有し、
前記オブジェクトがビデオゲームにおけるキャラクタを示すオブジェクトであって、
前記カード動き判別手段にて判別された結果に従った表示処理を行うように制御する表示制御手段を有することを特徴とするビデオゲームシステム。
【請求項１５】
請求項１４記載のビデオゲームシステムにおいて、
前記撮像画像に複数のカードの画像データが存在する場合であって、かつ、前記カード動き判別手段にて複数のカードの画像が重なっていると判別した場合に、
前記表示制御手段は、
前記複数のカードが重なった画像の上に１つの新たなオブジェクトの画像を重畳して表示するように制御することを特徴とするビデオゲームシステム。
【請求項１６】
請求項１５記載のビデオゲームシステムにおいて、
前記新たなオブジェクトは、前記複数のカードの識別情報の組み合わせに対応したオブジェクトであることを特徴とするビデオゲームシステム。
【請求項１７】
請求項１０〜１６のいずれか１項に記載のビデオゲームシステムにおいて、
同一のオブジェクトに複数の識別情報が割り当てられ、
前記複数の識別情報のそれぞれにおいて前記同一のオブジェクトに関するパラメータが異なることを特徴とするビデオゲームシステム。
【請求項１８】
請求項１０〜１７のいずれか１項に記載のビデオゲームシステムにおいて、
前記コンピュータに接続される着脱自在の記憶媒体を有し、
前記識別情報に対応する情報が前記記憶媒体にて管理されていることを特徴とするビデオゲームシステム。
【請求項１９】
請求項１０〜１７のいずれか１項に記載のビデオゲームシステムにおいて、
前記コンピュータがネットワークを介してネットワークサーバに接続され、
前記識別情報に対応する情報が前記ネットワークサーバにて管理されていることを特徴とするビデオゲームシステム。
【請求項２０】
請求項１０〜１９のいずれか１項に記載のビデオゲームシステムにおいて、
前記カードの識別画像は、セルが多数配置されてなる二次元バーコードにて構成されていることを特徴とするビデオゲームシステム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明は、所定のタイミングで撮像した画像データと前記所定のタイミングとは別のタイミングで撮像した画像データとの差分をとり、差分後のデータに基づいて前記カードに動きがあったかどうかを判別し、その判別結果に従った表示処理を行う。例えば、複数のカードが重なった場合に、前記複数のカードが重なった画像の上に１つの新たなオブジェクトの画像を重畳して表示する等の表示処理が行われる。この場合、前記新たなオブジェクトとしては、前記複数のカードの識別情報の組み合わせに対応したオブジェクト等が考えられる。ビデオゲームに適用した場合は、前記判別結果に従ってビデオゲームのシナリオを進行させる等である。この場合、撮像されたカードの画像が複数ある場合であって、かつ、前記カード動き判別手段にて１つのカードが移動していると判別した場合に、前記各カードの画像上に表示されている複数のオブジェクトの画像のうち、移動していると判別したカードの画像上に表示されているオブジェクトの画像を選択してシナリオを進行させる等の処理を行うことができる。